【手続補正書】
【提出日】令和1年9月3日(2019.9.3)
【手続補正１】
【補正対象書類名】明細書
【補正対象項目名】０１５６
【補正方法】変更
【補正の内容】
【０１５６】
多数の実装を説明した。しかしながら、様々な修正が、行われ得ることが理解されよう。例えば、相異なる実装の要素は、他の実装を生成するために、組み合わされるか、補足されるか、修正されるか、又は除去されてもよい。加えて、当業者は、他の構造及びプロセスが、開示された構造及びプロセスの代用とされ、結果としての実装が、開示された実装と少なくともほぼ同じ結果（単複）を達成するために、少なくともほぼ同じ方法（単複）で、少なくともほぼ同じ機能（単複）を実行することを理解されよう。従って、これらや他の実装は、本出願によって考えられている。
［付記１］
シーンに関連するライトフィールドデータから取得されたビュー行列に属するビューの少なくとも１つの画素ブロックを予測する方法であって、
前記方法が、プロセッサによって実行され、前記画素ブロックの少なくとも１つの予測すべき画素について、
前記少なくとも１つの予測すべき画素が属する少なくとも１つのエピポーラ平面画像（ＥＰＩ）を前記ビュー行列から取得することと、
双方向予測モードセットの中で、前記少なくとも１つのエピポーラ平面画像における前記少なくとも１つの予測すべき画素に隣接する、以前に再構成された画素セットから少なくとも１つの最適な双方向予測モードを決定することと、
前記少なくとも１つの最適な双方向予測モードを用いて補間を実行することによって、前記少なくとも１つの予測すべき画素の予測値を取得することと、
を含む、予測する方法。
［付記２］
前記最適な双方向予測モードを決定することが、前記画素ブロックの少なくとも１つの予測すべき画素について、
各双方向予測モードのエネルギーレベルを取得するために、前記少なくとも１つのエピポーラ平面画像における前記少なくとも１つの予測すべき画素に隣接する、前記以前に再構成された画素セットに、前記双方向予測モードセットの各双方向予測モードを適用することと、
前記エネルギーレベルが各双方向予測モードについて取得されたエネルギーレベルの最小の独立変数である前記双方向予測モードに対応する前記最適な双方向予測モードを選択することと、
を含む、付記１に記載の予測する方法。
［付記３］
前記画素ブロック内の少なくとも１つの予測すべき画素グループを提供することであって、前記画素グループが、同じ行の、同じ列の、又は前記画素ブロックの行若しくは列に対して或る角度方向を示す少なくとも２つの画素のセットの少なくとも２つの画素を含み、
前記最適な双方向予測モードを決定することが、
前記画素グループの少なくとも１つの予測すべき画素について、各双方向予測モードのエネルギーレベルを取得するために、前記少なくとも１つのエピポーラ平面画像における前記少なくとも１つの予測すべき画素に隣接する、前記以前に再構成された画素セットに、前記双方向予測モードセットの各所定の双方向予測モードを適用することと、
前記画素グループに属する全ての予測すべき画素に対して同じ最適な双方向予測モードを選択することであって、前記最適な双方向予測モードが、前記エネルギーレベルが前記画素グループの少なくとも１つの予測すべき画素について取得されたエネルギーレベルの最小の独立変数である前記双方向予測モードに対応することと、
を含むことを更に含む、付記１に記載の予測する方法。
［付記４］
前記予測すべき１つの画素が属する少なくとも２つのエピポーラ平面画像（ＥＰＩ）が、水平エピポーラ平面画像（ＥＰＩ）及び垂直エピポーラ平面画像（ＥＰＩ）に、又は相異なる角度方向のエピポーラ平面画像（ＥＰＩ）セットに対応する場合に、
前記最適な双方向予測モードを決定することが、前記水平エピポーラ平面画像（ＥＰＩ）及び前記垂直エピポーラ平面画像（ＥＰＩ）について、又は前記相異なる角度方向のエピポーラ平面画像（ＥＰＩ）セットについて実行され、前記最適な双方向予測モードが、前記エネルギーレベルが少なくとも１つのエピポーラ画像について取得されたエネルギーレベルの最小の独立変数である双方向予測モードに対応する、付記２又は３に記載の予測する方法。
［付記５］
１つの予測すべき画素が属する少なくとも２つのエピポーラ平面画像（ＥＰＩ）が、水平エピポーラ平面画像（ＥＰＩ）及び垂直エピポーラ平面画像（ＥＰＩ）に、又は相異なる角度方向のエピポーラ平面画像（ＥＰＩ）セットに対応する場合に、
最適な双方向予測モードが、各エピポーラ画像について決定され、前記少なくとも１つの予測すべき画素の前記予測値が、少なくとも２つのエピポーラ画像について決定された前記最適な双方向予測モードを用いることによってそれぞれ取得された少なくとも２つの予測値の平均に対応する、付記２〜４のいずれか一項に記載の予測する方法。
［付記６］
シーンに関連するライトフィールドデータから取得されたビュー行列に属するビューの前記少なくとも１つの画素ブロックを符号化する方法であって、前記方法が、プロセッサによって実行され、
予測された画素ブロックを取得するために、付記１〜５のいずれか一項に記載の予測する方法に従って前記少なくとも１つの画素ブロックを予測することと、
前記少なくとも１つの画素ブロックと前記予測された画素ブロックとの間の差に対応する残余誤差を決定することと、
前記画素ブロックに関連する前記残余誤差を符号化することと、
を含む、符号化する方法。
［付記７］
前記シーンに関連するライトフィールドデータから取得された前記ビュー行列を表す信号に前記残余誤差を挿入することと、
前記画素ブロック内の少なくとも１つの予測すべき画素グループを表す情報を前記信号に挿入することと、
を更に含む、付記６に記載の符号化する方法。
［付記８］
シーンに関連するライトフィールドデータから取得されたビュー行列に属するビューの少なくとも１つの画素ブロックを表す信号を復号する方法であって、前記方法が、プロセッサによって実行され、
前記画素ブロックに関連する残余誤差を前記信号から復号することと、
予測された画素ブロックを取得するために、付記１〜８のいずれか一項に記載の前記予測する方法に従って、前記少なくとも１つの画素ブロックを予測することと、
前記予測された画素ブロックに前記残余誤差を追加することによって、前記少なくとも１つの画素ブロックを再構成することと、
を含む、復号する方法。
［付記９］
前記画素ブロック内の少なくとも１つの予測すべき画素グループの形成を表す情報を前記信号から抽出することであって、前記予測が前記情報を考慮することを更に含む、付記８に記載の復号する方法。
［付記１０］
シーンに関連するライトフィールドデータから取得されたビュー行列に属するビューの少なくとも１つの画素ブロックを符号化する装置であって、前記装置が、
予測された画素ブロックを取得するために、前記少なくとも１つの画素ブロックを予測するモジュールであって、前記モジュールが、前記画素ブロックの各予測すべき画素について、
前記少なくとも１つの予測すべき画素が属する少なくとも１つのエピポーラ平面画像（ＥＰＩ）を前記ビュー行列から取得するためのエンティティと、
双方向予測モードセットの中で、前記少なくとも１つのエピポーラ平面画像における前記少なくとも１つの予測すべき画素に隣接する、以前に再構成された画素セットから少なくとも１つの最適な双方向予測モードを決定するためのエンティティと、
前記少なくとも１つの最適な双方向予測モードを用いて補間を実行することによって、前記少なくとも１つの予測すべき画素の予測値を取得するためのエンティティと、を含むモジュールと、
前記少なくとも１つの画素ブロックと前記予測された画素ブロックとの間の差に対応する残余誤差を決定するモジュールと、
前記画素ブロックに関連する前記残余誤差を符号化するモジュールと、
を制御するように構成されたプロセッサを含む、符号化する装置。
［付記１１］
前記シーンに関連するライトフィールドデータから取得された前記ビュー行列を表す信号に前記残余誤差を挿入するモジュールと、
前記画素ブロック内の少なくとも１つの予測すべき画素グループを表す情報を前記信号に挿入するモジュールと、
を更に含む、付記１０に記載の符号化する装置。
［付記１２］
シーンに関連するライトフィールドデータから取得されたビュー行列に属するビューの少なくとも１つの画素ブロックを表す信号を復号する装置であって、前記装置が、
前記画素ブロックに関連する残余誤差を復号するモジュールと、
予測された画素ブロックを取得するために、前記少なくとも１つの画素ブロックを予測するモジュールであって、前記モジュールが、前記画素ブロックの少なくとも１つの予測すべき画素について、
前記少なくとも１つの予測すべき画素が属する少なくとも１つのエピポーラ平面画像（ＥＰＩ）を前記ビュー行列から取得するためのエンティティと、
双方向予測モードセットの中で、前記少なくとも１つのエピポーラ平面画像における前記少なくとも１つの予測すべき画素に隣接する、前に再構成された画素から少なくとも１つの最適な双方向予測モードを決定するためのエンティティと、
前記少なくとも１つの最適な双方向予測モードを用いて補間を実行することによって、前記少なくとも１つの予測すべき画素の予測値を取得するためのエンティティと、を含むモジュールと、
前記予測された画素ブロックに前記残余誤差を追加することによって、前記少なくとも１つの画素ブロックを再構成するモジュールと、
を制御するように構成されたプロセッサを含む、符号化する装置。
［付記１３］
前記画素ブロック内の少なくとも１つの予測すべき画素グループの形成を表す情報を前記信号から抽出するモジュールであって、前記予測が、情報を考慮するモジュールを更に含む、付記１２に記載の符号化する装置。
［付記１４］
付記１〜５か、６〜７か又は８〜９のいずれか一項に記載の方法を実行するかためのプログラムコード命令を含む、通信ネットワークからダウンロード可能な、並びに／又はコンピュータによって可読な及び／若しくはプロセッサによって実行可能な媒体上に記録されたコンピュータプログラム製品。
［付記１５］
付記１〜５か、６〜７か又は８〜９のいずれか一項に記載の方法を実行するかためのプログラムコード命令を含む、自らに記録した且つプロセッサによって実行することができるコンピュータプログラム製品を含む非一時的なコンピュータ可読媒体。